(57)【要約】【課題】種々の消耗品を収容可能、容易に取り出し可能とし、更にコンパクトに携帯可能とすることを目的とした、お墓参り用ケース等を提供する。【解決手段】お墓参り用ケース１００は、方形状の第１底板と、該第１底板の四辺にそれぞれ立設する第１側板と、この第１底板と第１側板で形成される第１空間部を仕切る仕切板、及び中間仕切板と、この第１空間部を開閉する第１蓋体とでなる浅底形状の第１収容体１０と、方形状の第２底板と、該第２底板の四辺にそれぞれ立設する第２側板と、この第２底板と第２側板で形成される第２空間部を開閉する第２蓋体とでなる浅底形状の第２収容体２０と、この浅底形状の第１収容体１０、及びこの浅底形状の第２収容体２０を収容する持ち運び用の袋と、で構成されたことを特徴とする。【選択図】図２
0003204797.tif 000002
【実用新案登録請求の範囲】
【請求項１】
方形状の第１底板と、該第１底板の四辺にそれぞれ立設する第１側板と、この第１底板と第１側板で形成される第１空間部を仕切る仕切板、及び中間仕切板と、この第１空間部を開閉する第１蓋体とでなる浅底形状の第１収容体と、
方形状の第２底板と、該第２底板の四辺にそれぞれ立設する第２側板と、この第２底板と第２側板で形成される第２空間部を開閉する第２蓋体とでなる浅底形状の第２収容体と、
この浅底形状の第１収容体、及びこの浅底形状の第２収容体を収容する持ち運び用の袋と、で構成されたことを特徴とするお墓参り用ケース。
【請求項２】
前記第１空間部を仕切る仕切板、及び中間仕切板は、
いずれかの向かい合う２つの前記第１側板に平行となるように前記第１底板上に立設する２つの仕切板と、該２つの仕切板の間に該仕切板と垂直になるように前記第１底板上に立設する中間仕切板と、する構成とした請求項１に記載のお墓参り用ケース。
【請求項３】
前記浅底形状の第１収容体と、前記浅底形状の第２収容体とは、同形、かつ同寸とする構成とした請求項１に記載のお墓参り用ケース。
【請求項４】
前記袋には、防風板を収容する袋部を設ける構成とした請求項１に記載のお墓参り用ケース。
【請求項５】
前記防風板は、垂直に立上る壁板と、この壁板の上端をカバーする上板と、で構成した請求項４に記載のお墓参り用ケース。
【請求項６】
前記防風板は、折畳みした状態で、前記袋部に収容できる構成とした請求項４に記載のお墓参り用ケース。
【考案の詳細な説明】
【技術分野】
【０００１】
本考案は、墓参りに役立つお墓参り用ケース等に関する。
【背景技術】
【０００２】
近頃は日常的に墓参りをする人は少なく、盆、彼岸、正月、故人の命日等の特定の時期にのみ墓参りをする人が多い。ほとんどの一般家庭においては、墓参りに持参する線香、ローソク等の消耗品を購入時のパッケージのまま仏壇下に保管しておき、墓参りの日になってそれらの消耗品をパッケージごとビニール袋等に放り入れて墓参りに行く。パッケージのままビニール袋等に入れるので、面倒であること、又は上手に収容しないと、嵩張り、場合により、厄介である。従って、墓参りに役立つお墓参りセットとして日頃から、準備すれば、これらの問題も解消される。
【０００３】
ここで、特許文献１には、線香、ローソク、ライターといった墓参りの消耗品を整理して携帯するための線香ケースが開示されている。
【先行技術文献】
【特許文献】
【０００４】
【特許文献１】特開２００７−２８９５９９号公報
【考案の概要】
【考案が解決しようとする課題】
【０００５】
特許文献１に開示された線香ケースは、墓参りに役立つお墓参りセットとして日頃から、準備されており重宝する。しかし、この発明は、線香等を収容部の底に対して立てた状態で収容するものであり（深底の収容部を備えたケース）、携帯中の安定を図るために収容部の側壁が高く設計されている（深底のケース）。このため、携帯中の振動等により線香等が折れてしまった場合に、その折れた線香等を取り出すのが難しく、また、収容部の底に汚れや埃が付着した場合に掃除をするのが面倒であるといった課題があった。また、マッチや小ローソクといった小さな消耗品（短くなった線香）には不向きである。
【０００６】
さらに、特許文献１に開示された線香ケースには、線香、ローソク、ライターといった線香に火を着けるために必要なものを収容するスペースがあるに留まり、線香に火を着けると生じる灰や煤汚れを掃除するために必要なものを収容するスペースはなかった。また、前述した如く、深底のケースであり、短くなった線香等の処理に困ることと、掃除に手間を要する。
【０００７】
本考案は、このような実情に鑑みてなされたものであり、種々の消耗品を収容可能、容易に取り出し可能とし、更にコンパクトに携帯可能とすることを目的とした、お墓参り用ケースで、浅底形状のケース等を提供する。又は、お墓とかその他の場所で設置した際に、風、接触等の衝撃でも、転倒することが少なく有意義なお墓参り用ケース等を提供する。
【課題を解決するための手段】
【０００８】
上記目的を達成するため、本考案の第１の観点に係るお墓参り用ケースは、
方形状の第１底板と、該第１底板の四辺にそれぞれ立設する第１側板と、この第１底板と第１側板で形成される第１空間部を仕切る仕切板、及び中間仕切板と、この第１空間部を開閉する第１蓋体とでなる浅底形状の第１収容体と、
方形状の第２底板と、該第２底板の四辺にそれぞれ立設する第２側板と、この第２底板と第２側板で形成される第２空間部を開閉する第２蓋体とでなる浅底形状の第２収容体と、
この浅底形状の第１収容体、及びこの浅底形状の第２収容体を収容する持ち運び用の袋と、で構成されたことを特徴とする。
【０００９】
前記第１空間部を仕切る仕切板、及び中間仕切板は、
いずれかの向かい合う２つの前記第１側板に平行となるように前記第１底板上に立設する２つの仕切板と、該２つの仕切板の間に該仕切板と垂直になるように前記第１底板上に立設する中間仕切板と、する構成としてもよい。
【００１０】
前記浅底形状の第１収容体と、前記浅底形状の第２収容体とは、同形、かつ同寸とする構成としてもよい。
【００１１】
前記袋には、防風板を収容する袋部を設ける構成としてもよい。
【００１２】
前記防風板は、垂直に立上る壁板と、この壁板の上端をカバーする上板と、で構成してもよい。
【００１３】
前記防風板は、折畳みした状態で、前記袋部に収容できる構成としてもよい。
【考案の効果】
【００１４】
本考案によれば、墓参りに必要な種々の消耗品を収容可能、容易に取り出し可能とし、更にコンパクトに携帯可能とする。
【図面の簡単な説明】
【００１５】
【図１】本実施の形態に係るお墓参り用ケースの外観を示す斜視図である。
【図２】（ａ）第１箱体に消耗品を収容した例を示す平面図である。（ｂ）第２箱体に消耗品を収容した例を示す平面図である。
【図３】お墓参り用ケースの第１蓋体を開いた際の外観を示す斜視図である。
【図４】お墓参り用ケースの第２蓋体を開いた際の外観を示す斜視図である。
【図５】（イ）お掃除用品セットのケースを示す斜視図である。（ロ）第２蓋体のロックを閉めた状態の模式図である。（ロ’）第２蓋体のロックをはずした状態の模式図である。
【図６】防風板の外観を示す斜視図である。
【図７】（ａ）（ｂ）チェーンを係止する係止部の一例を示す概略図である。
【図８】防風板を平面上に展開した例を示す平面図である。
【図９】（ａ）折り込み線ｖ１、ｖ１’に沿って天板を折り込んだ時の上面図である。（ｂ）折り込み線ｖ２、ｖ２’に沿って天板を折り込んだ時の上面図である。（ｃ）折り込み線ｖ３、ｖ３’に沿って天板を折り込んだ時の上面図である。
【図１０】防風板を畳んだ時の外観を示す斜視図である。
【図１１】ライターにライター用風除け笠を装着した際の外観を示す斜視図である。
【図１２】（ａ）ライター用風除け笠の外観を示す斜視図である。（ｂ）ライター用風除け笠の外観を示す斜視図である。
【図１３】お墓参りセットを持ち運び用の袋に収容した際の外観を示す斜視図である。
【考案を実施するための形態】
【００１６】
本実施の形態に係るお墓参りセットは、墓参りに必要な線香、ローソク、箱入りマッチ、着火用ライター、小型箒、小型ブラシ、ウェットティッシュといった種々の消耗品を専用のケースにまとめて収容したものである。以下、本実施の形態に係るお墓参りセットについて、好ましい、一例を、図面を参照して詳細に説明する。
【００１７】
本実施の形態に係るお墓参りセットを構成する各消耗品は、図１に示すお墓参り用ケース１００にまとめて収容される。お墓参り用ケース１００は、浅底形状の立方体形状の２つの収容体（後述する第１収容体と第２収容体）で構成されており、後述する持ち運び用の袋３０に重ねて（図１３の一例の如く、重畳するようにして）収められる。原則として、この２つの収容体は別体であるが、第１収容体と第２収容体は、対のセットとする構造も有り得る。
【００１８】
図２（ａ）に示すように、お墓参り用ケース１００の一方の段１０（第１収容体１０のお墓参り用品セット「ラクラク」）には、線香ｓ、ローソクｃ、箱入りマッチｍ、着火用ライターｉといった、線香ｓに火を着けるために必要な消耗品が収容される。一方、図２（ｂ）に示すように、お墓参り用ケース１００の他方の段２０（第２収容体２０のお掃除用品セット「サット」）には、小型箒ｈ、小型ブラシｂ１、ｂ２、ウェットティッシュｗといった、線香に火を着けることにより生じる灰や煤汚れを掃除するために必要な消耗品が収容される。着火具は、箱入りマッチｍと、着火用ライターｉとを用意し、利便性と、安心かつ安全性等を担保する。
【００１９】
ここで、お墓参り用ケース１００の構造等を説明する。
お墓参り用ケース１００は、プラスチック、木材、金属板等、通常の使用で想定される温度（−１０℃〜５０℃程度）下で固体である素材であれば、任意の素材で構成されてよい。その中でも、収容状態で中身の消耗品を視認し易いように、例えば、後述する第１蓋体１６、及び／又は、第２蓋体２６を、透過性を有したプラスチックで構成されるのが望ましい。
お墓参り用ケース１００の浅底形状の第１収容体１０は、図３に示すように、第１底板１１と、４つの第１側板１２ａ、１２ｂ、１２ｃ、１２ｄと、２つの仕切板１３ａ、１３ｂと、中間仕切板１４と、で構成された第１箱体１５と、第１蓋体１６と、第１連結部材１７と、第１係止部材１８ａ、１８ｂと、で構成される。
【００２０】
第１底板１１は方形状の板であり、その４つの縁付近には、矩形状の第１側板１２ａ、１２ｂ、１２ｃ、１２ｄが立設している。また、第１底板１１には、向かい合う２つの第１側板１２ａ、１２ｃに直交し、向かい合う２つの第１側板１２ｂ、１２ｄに平行になるように、矩形状の仕切板１３ａ、１３ｂが立設している。仕切板１３ａ、１３ｂは、向かい合う２つの第１側板１２ａ、１２ｃをそれぞれ三等分するように、第１底板１１に立設するのが望ましい。
【００２１】
第１底板１１には、さらに、仕切板１３ａ、１３ｂの間に、仕切り板１３ａ、１３ｂと直交するように、中間仕切板１４が立設している。中間仕切板１４は、仕切板１３ａ、１３ｂをそれぞれ二等分するように、第１底板１１に立設するのが望ましい。
第１側板１２ａ、１２ｂ、１２ｃ、１２ｄ、仕切板１３ａ、１３ｂ、中間仕切板１４の高さは、収容する消耗品を取り出し易くするため、第１底板１１の１辺の１／５〜１／３程度が望ましい。
【００２２】
第１蓋体１６は、第１箱体１５用の蓋であり、第１箱体の開口全体を覆う。第１蓋体１６は、第１連結部材１７によって第１側板１２ａの縁部に連結されており、第１連結部材１７を中心として回動可能となっている。第１連結部材１７は、第１蓋体１６と第１箱体１５とを連結するものであれば任意のものであってよい。例えば、第１蓋体１６と第１箱体１５とを溶着させた際に第１蓋体１６と第１箱体１５との間に形成される溶着片であってもよいし、第１蓋体１６と第１箱体１５とを連結するヒンジであってもよい。
【００２３】
第１側板１２ｃの縁部中央と、第１蓋体の第１側板１２ｃの縁部に係合する部分中央には、それぞれ第１係止部材１８ａ、１８ｂが配置されている。第１係止部材１８ａは、第１側板１２ｃの縁部中央から第１収容体１０の外に向けて突出した部材である。第１係止部材１８ｂは、第１蓋体１６を第１箱体１５に嵌めたときに、第１係止部材１８ａと嵌合する凹部を有し、第１係止部材１８ａと嵌合することで第１蓋体１６の回動を係止する部材である。
【００２４】
お墓参り用ケース１００の浅底形状の第２収容体２０は、図４に示すように、第２底板２１と、４つの第１側板２２ａ、２２ｂ、２２ｃ、２２ｄと、で構成された第２箱体２３と、第２蓋体２４と、第２連結部材２５と、第２係止部材２６ａ、２６ｂと、で構成される。
第２底板２１、第２側板２２ａ、２２ｂ、２２ｃ、２２ｄ、第２蓋体２４、第２連結部材２５、第２係止部材２６ａ、２６ｂの構造は、それぞれ第１底板１１、第１側板１２ａ、１２ｂ、１２ｃ、１２ｄ、第１蓋体１６、第１連結部材１７、第１係止部材１８ａ、１８ｂの構造に準ずる。
【００２５】
第２蓋体２４は、第２箱体２３用の蓋であり、第２箱体の開口全体を覆う。第２蓋体２４は、第２連結部材２５によって第２側板２２ａの縁部に連結されており、第２連結部材２７を中心として回動可能となっている。なお、図５（イ）に示すお掃除用品セットのケース（第２収容体２０）の第２蓋体２４のロックを閉めると図５（ロ）に示すようになる。また、第２蓋体２４のロックを外すと図５（ロ’）に示すようになる。
【００２６】
次に、本実施の形態に係るお墓参りセットの使用態様について望ましい一例を説明する。
まず、ユーザは床、地面等の平らな場所に、空の第１収容体１０及び第２収容体２０を置き、第１蓋体１６及び第２蓋体２４を開く。
【００２７】
ユーザは、蓋体を開いた第１箱体１５及び第２箱体２３に、消耗品を収容する。具体的に、ユーザは、第１箱体１５に、図２（ａ）に示すように、仕切板１３ａ、１３ｂ、中間仕切板１４で仕切られた各区画に、それぞれ、消耗品、例えば、線香ｓ、ローソクｃと、火を着けるために必要な機器（道具）、例えば、箱入りマッチｍ、着火用ライターｉ等を収容する。一方、ユーザは、第２箱体２３に、図２（ｂ）に示すように、第２箱体２３には、灰や煤汚れを掃除するために必要な機器（道具）、例えば、小型箒ｈ、小型ブラシｂ１、ｂ２、ウェットティッシュｗ等を収容する。この機器、消耗品は、底板（第１底板１１又は第２底板２１）上に横にした状態で収容される。ユーザは、必要な消耗品を箱体に収容したら、蓋体を閉じる。
【００２８】
そしてユーザは、図１３に示すように、消耗品をお墓参り用ケース１００に収容したお墓参りセット１を縦向きにして（第１底板１１、第２底板２１を鉛直向きにした状態で）持ち運び用の袋３０に収容し（お墓参りセット一式）、墓参りに行く。
【００２９】
以上説明したように、本実施の形態では、収容時には、墓参りに必要な消耗品を底板（第１底板１１又は第２底板２１）上に横にして収容し、携帯時には、持ち運び用の袋に縦向きに収容して携帯する構成とした。これにより、収容時には収容及び取り出し容易とし、携帯時には嵩張らずに安定して携帯することができる。
【００３０】
また、本実施の形態では、第１側板１２ａ、１２ｂ、１２ｃ、１２ｄ、第２側板２２ａ、２２ｂ、２２ｃ、２２ｄの高さがそれぞれ第１底板１１、第２底板２１の一辺の長さの１／５〜１／３程度になるように構成した。これにより、収容している線香ｓやローソクｃが万が一折れていても、第１側板１２ａ等の高さが相対的に低いため、取り出し、又は折れ等による消耗品の取り扱い等の所作が容易である。その他、線香ｓやローソクｃ等の収容においても、同様と考えられる。
【００３１】
また、本実施の形態では、線香sに火を着けるために必要な消耗品と、線香sに火を着けることにより生じる灰や煤汚れを掃除するために必要な消耗品とを別の収容体に分けて収容するように構成した。これにより、線香sに火を着けるために必要な消耗品が、灰や煤で汚れることを防止することができる。
【００３２】
或いは、本実施の形態では、線香ｓに火を着ける着火剤として、箱入りマッチｍと着火用ライターｉの両方をお墓参り用ケース１００の第１収容体１０に収容する構成としたので、マッチｍ切れ、ライターｉ燃料切れ等の不具合を解消できる。
【００３３】
また、本実施の形態では、お墓参り用ケース１０の第２収容体２０に、灰や煤汚れを掃除するために必要な消耗品（小型箒ｈ、小型ブラシｂ１、ｂ２）を収容できるようにしたため、大変重宝する。例えば、ユーザは、灰が墓石にこぼれた時に、小型箒ｈを用いて灰を除去することができる。またユーザは、灰が墓石の彫刻の細かい部分に溜まった場合に、小型ブラシｂ１、ｂ２を用いて、溜まった灰を除去することができる。また、ユーザは、小型ブラシｂ１、ｂ２に水をつけて墓石を磨いたり、ウェットティッシュｗで拭き取ったりすることにより、墓石等にこびり付いた煤汚れを除去してもよい。
第２収容体２０には、墓石等をサッと掃除できるように、小型箒ｈ、ウェットティッシュｗ等を入れるようにした。これによって、サッサと掃除することができ、大変重宝する。本考案は、“サッと墓石掃除”と称され、大変優れものである。
【００３４】
防風板４０は、複数枚の垂直に立上る壁板４１と、この壁板４１の上端をカバーする天板４１ｄと、で構成されており、防風板４０は適宜の箇所より折畳みできる。この折畳み状態で、持ち運び用の袋３０の袋部３００（図１３参照）に収容する。
【００３５】
防風板４０の使用は、図６に示しており、線香ｓとかローソクｃとかの周辺、又は、その上部をカバーすることにより、線香ｓやローソクｃに直接風が当たることを防ぎ、着火しやすくする。
【００３６】
防風板４０は、ステンレス鋼、又は耐火性を有する素材で被覆するか、又は貼着、コーティング等した木材、プラスチック、シリコーン、又は、その他の耐炎材等からなる。その構成の一例を説明すると、防風板４０は、図６に示すように、使用時に於いて、奧面側となる第一壁板４１ａと、その袖となる対峙した第二・第三壁板４１ｂ、４１ｃと、天板４１ｄとを備える。天板４１ｄは、第一壁板４１ａを立設し、かつ第二・第三壁板４１ｂ、４１ｃを、第一壁板４１ａとの繋がり辺より折り曲げた状態で、形成される上面に形成される隙間（第一壁板４１ａの上端と、第二・第三壁板４１ｂ、４１ｃとで形成される天蓋空間を云う）を覆う役割がある。
この一例では、天板４１ｄは、第一壁板４１ａの上端に繋がる天板部４２ａと、第二・第三壁板４１ｂ、４１ｃの上部の内面（一例である）に添設するための折り込み板４２ｂ、４２ｃを備える。
以上の構造であることから、図６に示した使用状態で、立設した第一壁板４１ａを折り畳んだ第二・第三壁板４１ｂ、４１ｃで、囲繞することで、俯瞰してコ字形となり、このコ字形の天蓋空間を天板部４２ａで覆いつつ、第二・第三壁板４１ｂ、４１ｃの内面に、折り込み板４２ｂ、４２ｃを添設する。これにより線香ｓとかローソクｃを風雨から保護できる。
なお、収納は、第一壁板４１ａに、第二・第三壁板４１ｂ、４１ｃと、天板４１ｄ、及び／又は折り込み板４２ｂ、４２ｃと、を順次折り畳み、板状とする。
図示しないが、天板４１ｄと、折り込み板４２ｂ、４２ｃとの間に、面ファスナー等の支持部材を付設することもできる。
【００３７】
また、第二・第三壁板４１ｂ、４１ｃの開口側の下方には、それぞれチェーンｃ１、ｃ２（紐、ワイヤ等の緊締具）を取付ける。チェーンｃ２、ｃ１の自由端を係止する係止部ｐ１、ｐ２が設けられている。なお、係止部ｐ１、ｐ２の形状は、チェーンｃ２、ｃ１を構成する鎖素子を引っかけることができれば任意の形状でよい。例えば、係止部ｐ１、ｐ２は、図７（ａ）に示すように、第二・第三壁板４１ｂ、４１ｃの一部を側面視して略Ｌ字型に切り取る構造でも良い。また例えば、係止部ｐ１、ｐ２は、図７（ｂ）に示すように、第二・第三壁板４１ｂ、４１ｃの一部を方形状（方形）に切り取り、方形の一辺に対応する箇所に埋め込んだ杭によって構成されてもよい。
【００３８】
さらに、図６に示すように、第一〜第三壁板４１ａ、４１ｂ、４１ｃのそれぞれの下方には、換気孔ｅ（孔）が複数個設けられている。防風板４０は、第一〜第三壁板４１ａ、４１ｂ、４１ｃと、天板４０ｄで、線香ｓ等を風から守りつつ、第一〜第三壁板４１ａ、４１ｂ、４１ｃと、天板４１ｄとで囲まれた空間に新鮮な空気を取入れる。線香ｓ等の着火を容易とする。また、下方に換気孔ｅを設けることで、線香ｓ等の消化を防ぐことができる。
【００３９】
防風板４０を展開すると、図８に示すように、例えば、一枚の板状部材となり、第一壁板４１ａの両側（図８の紙面上の左右側）に第二・第三壁板４１ｂ、４１ｃが隣接されており、上側（図８の紙面上の上側）に天板４１ｄが隣接されている。
天板４１ｄには、天板部４２ａと折り込み板４２ｂ、４２ｃとを区分けするための複数の折り込み線ｖ１、ｖ２、ｖ３〜ｖ１’、ｖ２’、ｖ３’が形成されている。折り込み線ｖ１、ｖ１’は、天板４１ｄと第一壁板４１ａとの境界線（繋ぎ線）に対して鈍角に形成され、また折り込み線ｖ２、ｖ２’は、上記境界線に対して直角に形成されており、さらに、折り込み線ｖ３、ｖ３’は上記境界線に対して鋭角に形成されている。
【００４０】
例えば、天板４１ｄを折り込み線ｖ１、ｖ１’に沿って折り込んだ場合、天板部４２ａの形状は、図９（ａ）のようになる。また、天板４１ｄを折り込み線ｖ２、ｖ２’に沿って折り込んだ場合、天板部４２ａの形状は、図９（ｂ）のようになる。また、天板４１ｄを折り込み線ｖ３、ｖ３’に沿って折り込んだ場合、天板部４２ａの形状は、図９（ｃ）のようになる。
【００４１】
一方、第二・第三壁板４１ｂ、４１ｃは、図７（ａ）、（ｂ）に示すように、下方に設けられているチェーンｃ１、ｃ２のうちいずれか一方の自由端を係止部ｐ２、ｐ１に係止することにより、その開きの程度を調整することができる。ユーザは、着火する線香ｓやローソクｃの大きさ、ユーザの手の大きさ、風の強さ等に応じて第二・第三壁板４１ｂ、４１ｃの開きの程度を調整し、調整した開きの程度に合わせて、天板４１ｄの折り込み部４２ｂ、４２ｃを折り込み、天板部４２ａの形状を調整することができる。
【００４２】
なお、防風板４０は、図１０に示すように、第一壁板４１ａに天板４１ｄ、第二・第三壁板４１ｂ、４１ｃを重ね、折り畳むことができる。防風板４０は折り畳まれることにより、持ち運び用の袋３０の袋部３００に収容可能となる。
【００４３】
ライター用風除け笠５０は、図１１に示すように、着火用ライターｉの炎口に装着して風を除けることにより、線香ｓに着火しやすくするためのものである。ライター用風除け笠５０は、ケイ素性樹脂等の耐熱性及び柔軟性を備える素材からなる。ライター用風除け笠５０は、図１１、１２に示すように複数の平行な襞を有しているため、使用時には、図１２（ａ）に示すように、襞を広げて笠状とすることができる。また、不使用時には、図１２（ｂ）に示すように、襞に沿って畳むことにより、お墓参り用ケース１００等にコンパクトに収容することができる。
【００４４】
なお、例えば、上述した実施形態では、お墓参りセット１を持ち運び用の紐付き袋３０に収容して携帯できると説明したが、お墓参り用ケース１００に携帯用の紐を付けて置き、持ち運び用の袋３０なしで携帯できるように構成してもよい。具体的には、図示しないが、第１収容体１０と第２収容体２０と連結部、又は嵌合箇所に、紐を通す孔が設けられた突設部を複数個配置し、配置した複数個の突設部に１本の紐を通し、お墓参りセット１を持ち運び可能に構成してもよい。
【００４５】
また、上述した実施形態では、第二・第三壁板４１ｂ、４１ｃの開きの程度を調整するために、固定孔ｔ１、ｔ２に固定されたチェーンｃ１、ｃ２を用いることを説明したが、第二・第三壁板４１ｂ、４１ｃの開きの程度を調整する態様はこれに限られない。例えば、第二・第三壁板４１ｂ、４１ｃに、固定孔ｔ１、ｔ２の代わりに突部を設け、その突部にゴム紐を括りつけ、括りつけたゴム紐を任意の長さで係止部ｐ２、ｐ１に係止させることにより、第二・第三壁板４１ｂ、４１ｃの開きの程度を調整してもよい。
【００４６】
また、上述した実施形態において、消耗品を収容する各区画の底板上に、どの消耗品を置くかを示すインデックスシールを貼って、ユーザがどの区画にどの消耗品を置けば良いか一目で分かるように構成してもよい。
【００４７】
本考案は、本考案の広義の精神と範囲を逸脱することなく、様々な実施形態及び変形が可能とされるものである。上述した実施形態は、本考案を説明するためのものであり、本考案の範囲を限定するものではない。
【符号の説明】
【００４８】
１  お墓参りセット
１０  第１収容体
１１  第１底板
１２ａ、１２ｂ、１２ｃ、１２ｄ  第１側板
１３ａ、１３ｂ  仕切板
１４  中間仕切板
１５  第１箱体
１６  第１蓋体
１７  第１連結部材
１８ａ、１８ｂ  第１係止部材
２０  第２収容体
２１  第２底板
２２ａ、２２ｂ、２２ｃ、２２ｄ  第２側板
２３  第２箱体
２４  第２蓋体
２５  第２連結部材
２６  第２蓋体
２６ａ、２６ｂ  第２係止部材
３０  持ち運び用の袋
４０  防風板
４１ａ  第一壁板
４１ｂ  第二壁板
４１ｃ  第三壁板
４１ｄ  天板
４２ａ  天板部
４２ｂ、４２ｃ  折り込み板
５０  ライター用風除け笠
１００  お墓参り用ケース
ｂ１、ｂ２  小型ブラシ
ｃ  ローソク
ｃ１、ｃ２  チェーン
ｅ  換気孔
ｈ  小型箒
ｉ  着火用ライター
ｍ  箱入りマッチ
ｐ１、ｐ２  係止部
ｓ  線香
ｔ１、ｔ２  固定孔
ｖ１、ｖ２、ｖ３、ｖ１’、ｖ２’、ｖ３’  折り込み線
ｗ  ウェットティッシュ
【図１】
0003204797.tif 000003
【図２】
0003204797.tif 000004
【図３】
0003204797.tif 000005
【図４】
0003204797.tif 000006
【図５】
0003204797.tif 000007
【図６】
0003204797.tif 000008
【図７】
0003204797.tif 000009
【図８】
0003204797.tif 000010
【図９】
0003204797.tif 000011
【図１０】
0003204797.tif 000012
【図１１】
0003204797.tif 000013
【図１２】
0003204797.tif 000014
【図１３】
0003204797.tif 000015